(57)【要約】【課題】ユーザの好む映像を自動録画可能で、しかもその自動録画のためのユーザによる操作を最小限とし、さらに不必要に記録容量を消費することのない映像記録装置を提供する。【解決手段】この発明の映像記録装置１は、記録部１０において記録すべき番組のリストを録画制御部６０にて作成して保持し、その記録すべき番組のリストに登録された記録すべき番組のリストの書き換え、追加、消去ならびにその判定条件および記録すべき番組の記録可能な大きさの少なくとも１つを変更する際に、検索条件に一致した番組の数と記録が指示されている番組の数を表示可能である。【選択図】図１
2006324782.tif 000002
【特許請求の範囲】
【請求項１】
番組（タイトル）を、その番組（タイトル）を単位として記録する記録部と、
前記記録部が記録すべき番組のリストを保持する記録リスト保持部と、
前記記録リスト保持部が保持する前記記録すべき番組のリストに従って記録すべき番組を特定する録画管理部と、
前記記録リスト保持部に保持される前記記録すべき番組のリストを作成する際に用いた検索条件、その検索条件に合致した番組の数、および前記記録すべき番組のリストに登録された番組の数の少なくとも１つを表示可能とするリスト表示制御部と、
を有することを特徴とする映像記録装置。
【請求項２】
前記リスト表示制御部は、検索条件に合致した番組の数とともに、実際に前記記録部において録画された番組の数を表示可能であることを特徴とする請求項１記載の映像記録装置。
【請求項３】
前記リスト表示制御部は、検索条件に合致した番組の数（検索数）、前記記録すべき番組のリストに登録された番組の数（予約数）を、検索条件とともに表示可能であることを特徴とする請求項１記載の映像記録装置。
【請求項４】
前記録画管理部に対して、前記記録リスト保持部に保持される前記記録すべき番組のリストの書き換え、追加、消去ならびにその判定条件、および記録すべき番組の記録可能な大きさを指示可能な条件入力部を有し、
検索条件に合致した番組を実際に前記記録部において録画するために許容される時間数（データ量）を設定可能であることを特徴とする請求項１記載の映像記録装置。
【請求項５】
前記リスト表示制御部は、検索条件に合致した番組の数とともに、実際に前記記録部において録画された番組の数を表示可能であることを特徴とする請求項４記載の映像記録装置。
【請求項６】
前記リスト表示制御部は、検索条件に合致した番組の数（検索数）、前記記録すべき番組のリストに登録された番組の数（予約数）を、検索条件とともに表示可能であることを特徴とする請求項４記載の映像記録装置。
【請求項７】
前記条件入力部により制限される前記記録すべき番組の記録可能な大きさは、任意に設定可能であることを特徴とする請求項４ないし６のいずれかに記載の映像記録装置。
【請求項８】
記録部において記録すべき番組のリストを作成する際に、
リストに登録しようとする番組が検索条件に一致することを計数して保持し、
リストに登録されている番組に対して記録が指示されている番組であるか否かを判定したのち、記録動作を開始するとともにその番組の数を計数して保持し、
記録すべき番組のリストの書き換え、追加、消去ならびにその判定条件および記録すべき番組の記録可能な大きさの少なくとも１つを変更する際に、検索条件に一致した番組の数と記録が指示されている番組の数を表示可能である    
ことを特徴とする自動録画機能つき映像記録装置。
【請求項９】
検索条件に合致した番組を実際に前記記録部において録画するために許容される時間数（データ量）を設定可能であることを特徴とする請求項８記載の映像記録装置。
【発明の詳細な説明】
【技術分野】
【０００１】
この発明は、ユーザの好みの映像を自動録画する機能およびその機能を有する映像記録装置に関する。
【背景技術】
【０００２】
記録可能時間が１００時間を越える容量の記録装置であるハードディスク（ＨＤＤ）等が組み込まれた映像録画装置（以下、ハードディスク付レコーダと呼称する）が広く普及している。
【０００３】
ハードディスクレコーダは、従来のＶＴＲ（Video Tape Recorder）に比較すると、デジタル信号を圧縮して記録する点で異なり、そのため映像供給元としては、従来からの公衆向け放送（テレビ放送）に加え、ユーザが好む番組（タイトル）をネットワーク網により接続された配信先から購入（ダウンロード）する、という選択枝も展開されている。
【０００４】
このような映像記録装置においては、放送局または配信先から番組とは別に提供される電子番組情報（Electronic Program Guide）を利用して、自動的に任意の番組の録画を予約し、あるいは実際に録画することができる。
【０００５】
なお、公衆向けに、放送として配信されるプログラム（番組）を予約記録する際に利用される番組情報検索システムにおいて、放送から受像機（テレビ）にて取り込んだテレビ欄（放送）データを、例えばパーソナルコンピュータにより検索し、ソート（編集）して受像機に予約可能としたシステム、が既に提案されている（例えば、特許文献１）。
【特許文献１】特開平７−１６０７３２号公報
【発明の開示】
【発明が解決しようとする課題】
【０００６】
しかしながら、特許文献１には、ユーザが好む番組を自動的に予約する機能や、それを可能とする映像記録装置については、なんら記載がない。
【０００７】
この発明の目的は、ユーザの好む映像を自動録画可能で、しかもその自動録画のためのユーザによる操作を最小限とし、さらに不必要に記録容量を消費することのない映像記録装置を提供することである。
【課題を解決するための手段】
【０００８】
この発明は、番組（タイトル）を、その番組（タイトル）を単位として記録する記録部と、前記記録部が記録すべき番組のリストを保持する記録リスト保持部と、前記記録リスト保持部が保持する前記記録すべき番組のリストに従って記録すべき番組を特定する録画管理部と、前記記録リスト保持部に保持される前記記録すべき番組のリストを作成する際に用いた検索条件、その検索条件に合致した番組の数、および前記記録すべき番組のリストに登録された番組の数の少なくとも１つを表示可能とするリスト表示制御部と、を有することを特徴とする映像記録装置を提供するものである。
【発明の効果】
【０００９】
本発明の映像記録装置においては、ユーザに、「自動録画するための煩雑な作業を要求する」ことなく、自分の好みとして想定される（ユーザが好むと判定された）任意の番組（タイトル）を自動的に録画可能である。
【００１０】
また、自動予約登録された番組について、検索時に検索条件に合致した番組が見つかったか、予約登録された番組がいくつあるか等を、検索条件とともに表示することができる。これにより、自動録画される番組がユーザの好みから大きく外れて不本意な番組が録画されることや、ユーザが好む番組をとり逃す（録画し損なう）ことが防止される。
【００１１】
また、自動予約登録された番組が実際にいくつ録画されたかを、表示可能としたことにより、未視聴のタイトル（番組）が存在することや、検索条件に見直しを促す（検索条件を変更可能とするタイミングを提供する）ことができ、ユーザに「自動録画するための煩雑な作業を要求する」ことなく、自分の好みとして想定される（ユーザが好むと判定された）任意の番組（タイトル）を自動的に録画可能である。
【００１２】
また、自動録画により、不本意に記録部の記録残り容量が消費されることが抑止でき、ユーザによる録画済み番組のチェックが煩雑となることが防止できる。
【発明を実施するための最良の形態】
【００１３】
以下、図面を参照して、この発明の実施の形態について詳細に説明する。
【００１４】
図１に、本発明の実施の形態が適用可能な映像記録装置の構成の一例を示す。
【００１５】
映像記録装置１は、後段に、それぞれを詳細に説明するが、記録／再生部１０、データ処理部２０、映像入力部３０、映像出力部４０、録画制御部６０、表示制御部７０および主制御部５０等を含む。
【００１６】
記録／再生部１０は、例えばハードディスク記録装置を有し、公衆向けに、テレビ放送として放送局から送信される映像（番組）を１００時間程度記録可能な容量が与えられたハードディスクドライブ部（以下、ＨＤＤと示す）１２、ＨＤＤ１２と同様の規格で圧縮されたデータ（番組）が記録可能で、外部へのデータ（番組）の持ち出しと、外部からの持ち込みを可能とする記録媒体、例えば光ディスクへのデータの記録と再生に利用される光ディスクドライブ部１３、およびＨＤＤ１２および／または光ディスクドライブ部１３と、以下に詳述するデータ処理部２０との間で、圧縮されたデータ（映像信号＝番組）の転送に利用されるデータ転送制御部１１を含む。
【００１７】
記録／再生部１０においては、データ処理部２０において圧縮されたデジタル信号が、例えばユーザによる指示に応じ、データ転送制御部１１を経由して、ＨＤＤ１２内の所定の記録領域または光ディスクドライブ部１３にセットされた光ディスクＤに記録される。もちろん、再生要求があった場合、要求に応じて再生されたデータがデータ処理部２０に出力される。
【００１８】
データ処理部２０は、データ編集部２１、エンコーダ２２、デコーダ２３、および音声映像処理部２４等を含み、後段に説明する映像入力部３０から供給されるデータ（番組）を所定形成に圧縮したのち記録／再生部１０に転送するとともに、再生要求に従って記録／再生部１０から出力されたデータを復号して、後段の映像出力部４０に出力する。
【００１９】
データ編集部２１においては、圧縮されたデータを記録／再生部１０に転送する際に、記録するための区分、例えば任意数のフォルダ（ディレクトリ）のうちの特定されたフォルダに対して、記録対象の番組（データ）を記録が指示されるとともに、その番組に「番組名」や「映画」・「音楽」等の「ジャンル識別名」、「アーティスト（出演者）名」等の『データ特定項目』が付加可能である。もちろん、既に付加された『データ特定項目』は、編集もしくは消去可能である。なお、データ編集部２１においては、本件出願の実施の形態との関連が少ないため詳細な説明を省略するが、例えば既に録画されている番組の一部の削除や全部の削除、任意に選択された番組（データ）の複数のチャプタ（小区分）への分割や、その分割されたチャプタ（小区分）の再生順の設定等も、可能である。
【００２０】
エンコーダ２２は、周知の圧縮器であり、映像入力部３０を経由して供給されるデータ（番組）は、予め指定された圧縮方法（規格）および圧縮率で（エンコーダ２２により）圧縮される。なお、エンコーダ２２には、周知の多重化部が組み込まれてもよい、ことはいうまでもない。
【００２１】
デコーダ２３は、周知の復号器（伸長器）であり、エンコーダ２２による圧縮方法（規格）に対応する復号方法（規格）で、記録／再生部１０から供給されるデータ（番組）を復号（伸長）して、後段の映像出力部４０に向けて出力する。また、デコーダ２３には、周知の分離部が組み込まれてもよいことはいうまでもない。
【００２２】
音声映像処理部２４においては、デコーダ２３において復号された映像データと（通常は、映像信号と独立に復号される）音声データとが、合成される（出力タイミングが整合される）。なお、映像出力部４０に向けて出力されるデータには、音声映像処理部２４により、必要に応じて、ＯＳＤ表示（ＯＳＤ５４により生成される操作用画面表示）が合成される。
【００２３】
映像入力部３０は、例えば外部からの映像信号／入力信号の入力を受け入れる外部入力部３１、例えば放送衛星（ＢＳ）もしくは通信衛星（ＣＳ）を通じて提供される番組（データ）を受け入れるためのＢＳ／ＣＳチューナ部３２、例えば放送局からの公衆向け放送を受け入れるための地上波チューナ部３３、およびネットワーク網を経由して配信元から供給される（視聴可能な）データ（番組）受け入れるネットワークコントローラ３４等を有する。なお、ネットワークコントローラ３４は、例えば公衆通信網（電話回線）と接続可能であり、通信網を介して、外部との間で任意に、データの授受が可能である。
【００２４】
外部入力部３１、ＢＳ／ＣＳチューナ部３２、地上波チューナ部３３、ならびにネットワークコントローラ３４等は、セレクタ部３５と接続され、先に説明したエンコーダ２２（データ処理部２０）に供給されるデータ（番組）は、エンコーダ２２が同時に処理可能なタイトル（番組）数または容量もしくは転送レート等に基づいて、（セレクタ部３５により）規定される。
【００２５】
映像出力部４０は、音声映像処理部２４（データ処理部２０）から出力された復号済み信号（再生映像および音声）を、セレクタ４１を経由して、外部出力部４２、Ｉ／Ｆ（インタフェース４３、広く一般に普及しているテレビ（モニタ）Ｍに出力する映像／音声出力端４４等を含む。なお、ｌ／Ｆ４３の出力は、例えばパーソナルコンピュータ（ＰＣ）や、家庭内あるいは企業内等において普及している小規模ネットワークや、ＩＥＥＥ１３９４等に代表される特定のプロトコルに従うデータ転送システムとして利用可能である。
【００２６】
主制御部５０は、上述した記録／再生部１０、データ処理部２０、映像入力部３０および映像出力部４０のそれぞれに加え、以下に説明する録画制御部６０と表示制御部７０とを含む映像記録装置１の動作を制御するもので、個々の要素間における制御信号の伝送に利用される制御バス５１、主制御装置であるＭＰＵ（Main Processing Unit）５２、ワーク（キャッシュ）メモリ（ＲＡＭ）５３、ＯＳＤ（On Screen Display）ユニット５４、ならびにＭＰＵ５２のファームウエアとして（もしくは図示しないが、独立して）設けられ、映像記録装置１を動作させるためのイニシャルプログラムや、個々の制御コマンドに対応する動作や信号処理の方法、通信のための手続き等が記録されているＲＯＭを含む。
【００２７】
録画制御部６０は、例えば録画情報制御部６１、番組表生成部６２および録画予約制御部６３等を含む。
【００２８】
録画情報制御部６１では、例えばネットワーク網を通じて接続された外部のサーバ（情報供給元）１０１（後述）や映像配信先（ネットワーク網によりアクセス可能な映像提供機関（情報供給元１０１とは独立している場合もある）等により提供される電子番組情報（Electronic Program Guide，以下、ＥＰＧと示す）に基づいて、ユーザによる録画予約の設定（入力／解除（消去））および予約情報の変更等が可能である。
【００２９】
番組表生成部６２においては、（サーバ１０１から取得される）ＥＰＧおよび録画情報制御部６１により規定される［予約番組リスト］や、ＥＰＧに対応する表示すなわち番組表を、映像出力部４０に接続されるモニタ装置（テレビ）の画面として表示可能に、画面表示がデザイン（生成）される。
【００３０】
録画予約制御部６３においては、例えば、録画すべき番組（データ）名やその供給元、ならびに日時等の録画条件が保持されるとともに、実際の録画のために時刻（日時）情報が管理される。なお、録画予約制御部６３は、以下に説明する表示制御部７０と共用可能なタイマ（時計）コントローラ（タイママイコン）が含まれてもよい。
【００３１】
表示制御部７０は、例えば映像記録装置１の詳述しない表示パネルに設けられる時計部への時刻および年月日の表示や、装置の動作状態、録画予約の有無、録画時の録画モード等が表示される表示部７２と、表示パネル（もしくは装置１の所定の位置）に設けられる操作部７３、および表示部７２への表示ならびに操作部７３を経由してユーザにより入力される制御コマンドあるいは入力情報を授受するための、パネル制御部７１等を含む。
【００３２】
なお、例えばリモコン端末Ｒにより入力される制御コマンドおよび入力情報は、図１に示す本件の映像記録装置１においては、部７３または表示部７２の所定の位置に設けられる（図示しない）リモコン信号受信部において受け入れられ、パネル制御部７１を通じて主制御部５０に入力される。もちろん、リモコン（端末）Ｒからの信号（コマンド）は、図示しないが専用の受信部を経由してそのまま主制御部５０に供給されてもよいことはいうまでもない。
【００３３】
リモコン端末Ｒは、映像記録装置１による映像の録画に際して、録画先、例えばＨＤＤ１２または光ディスクＤ（光ディスクドライブ部１９）の特定、既に記録されている映像（番組）やそのタイトルまたは『データ特定項目』の編集、映像供給元の切り替えおよび予約録画の設定等に代表される各種、制御コマンドならびに入力すべき情報の入力に利用される。
【００３４】
ネットワークコントローラ３４を経由して接続可能なネットワーク網、例えば広く利用されているインターネットを介して接続されるサーバ（情報供給元）１０１には、例えば番組情報登録部１１１、番組情報格納部１１２、および通信部（通信制御部）１１３等が用意されている。なお、サーバ１０１には、例えば直接（専用線）またはインターネットを通じて、映像供給元である放送局Ｔ等が情報を提供可能に接続されている。
【００３５】
図２は、図１に示した映像記録装置において、映像出力部に接続されたモニタ（一般にはテレビ受像機）に表示される「番組ナビ（ナビゲーション）画面」の『メニュー画面』の表示例を示す。なお、以下に説明する個々の『表示』は、映像記録装置において、映像出力部４０に接続されたテレビ受像機（モニタ）の画面に表示される表示例であり、その『表示』となる表示パターンは、例えば主制御部５０のＯＳＤ５４を経由して、音声映像処理部２４で（受像機が表示可能な）ビデオ信号に重ね合わせられる。また、ＯＳＤ５４において生成されるパターンは、例えば録画制御部６０の番組表生成部６２や、ＭＰＵ５２のファームウエアまたは主制御部５０に用意される図示しないＲＯＭ等に、予め格納されている。
【００３６】
図２において、『表示』２０１には、「おまかせ録画」に利用される『キーワード入力表示』を表示していることを示す『タイトル表示』２０２が含まれる。『タイトル表示』２０２内またはその近傍の所定位置には、例えば「日付と時刻（「月／日」「（曜日）」「時刻」）」が『時刻表示』２０３として表示される。
【００３７】
『表示』２０１において、『タイトル表示』２０２の近傍または所定の位置には、「おまかせ録画」に用いるキーワードが入力可能な『キーワード［１］表示』２１１、同第２のキーワードが入力可能な『キーワード［２］表示』２１２、同第３のキーワードが入力可能な『キーワード［３］表示』２１３が表示される。なお、キーワード［１］は、「おまかせ録画」機能を動作させるためには、必須の入力項目であり、キーワード［２］は、キーワード［１］をさらに絞り込む項目のうちのキーワード［１］に加えて含むべき項目である。一方、キーワード［３］は、キーワード［１］をさらに絞り込む項目のうちのキーワード［１］から除外すべき（含まない）項目である。
【００３８】
『表示』２０１において、『キーワード［１］表示』〜『キーワード［３］表示』２１１〜２１３の近傍には、「おすすめ録画」を可能とするための『キーワード［１］表示』〜『キーワード［３］表示』２１１〜２１３と合わせて利用される自動録画特定要件、例えば「ジャンル」が入力可能な『ジャンル表示』２１４、同「日付（月日）」が入力可能な『日付表示』２１５、同「録画すべき時間帯」が入力可能な『時間帯表示』２１６、同「録画すべきチャンネル（映像供給源）」が入力可能な『チャンネル表示』２１７等、に代表されるユーザの好みに関連する項目（条件）を設定可能な複数の『表示』が表示される。また、例えば「録画すべき番組を初回放送のみとするか否か（再放送を除く）」を、特定可能な『再放送選択表示』２１８や、「１日あたりの録画時間」を設定可能な『自動録画選択表示』２１９等が、同『表示』２０１の所定の位置に表示される。
【００３９】
なお、『表示』２０１において、『タイトル表示』２０２と画面上で概ね対をなす位置（例えば『キーワード［１］表示』〜『キーワード［３］表示』２１１〜２１３の近傍、あるいは上述したさまざまな『表示』に対して視覚的な制約を与えることのない位置）には、ユーザによる選択指示、例えばリモコン端末Ｒの操作により、「キーワード」の入力やの任意の『バー（項目）表示』の選択、選択された『バー（項目）表示』を確定する制御コマンドの入力等に用いられる『選択／決定表示』２０４が表示される。
【００４０】
『表示』２０４には、『キーワード［１］表示』〜『キーワード［３］表示』２１１〜２１３や複数の『バー（項目）表示』２１４〜２１９を選択するための『項目（バー）選択表示』２０５、選択された項目（バー）を確定するための『決定表示』２０６、１つ前の操作（動作）に対応する表示（画面）を表示させるための『戻る表示』２０７等が表示される。なお、それぞれの『表示』２０５〜２０７は、例えばリモコン端末Ｒからの制御コマンドの入力を促すガイド表示であり、詳述しないがリモコン端末Ｒに設けられている入力キーに割り当てられている「名称（ボタン名）」を表示している。
【００４１】
また、『表示』２０１の所定の位置には、キーワード［１］〜［３］を用いて、ユーザから特定された条件を満足する番組が存在するか否かの「検索開始」コマンドを入力可能とする『検索開始表示』２２１および検索により特定された番組が存在した場合に、その番組を予約登録するための「登録」コマンドを入力可能とする『登録表示』２３１が表示される。この『検索開始表示』２２１によりユーザが、任意のタイミングで、特定の番組を検索し、その（検索された）番組を手動にて、予約登録可能となる。
【００４２】
図３は、図２に示した「番組ナビ（ナビゲーション）画面」の『メニュー画面』から、例えば［おまかせ番組録画の対象となる番組（タイトル）］の一覧表示である『おまかせ一覧画面』が選択された場合の表示例を示す。なお、以下に説明する個々の『表示』は、図２において既に説明したが、映像記録装置において、映像出力部に接続されたテレビ受像機の画面に表示される表示例であり、その『表示』となる表示パターンは、ＯＳＤを経由して音声映像処理部でビデオ信号に重ね合わせられることはいうまでもない。また、ＯＳＤにおいて生成されるパターンは、例えば録画制御部の番組表生成部や、ＭＰＵのファームウエアまたは主制御部に用意される図示しないＲＯＭ等に、予め格納されている。
【００４３】
図３において、『表示』３０１には、「おまかせ番組録画の対象番組（タイトル）」表示のうちの任意の１ページ分が表示されていることを示す『タイトル表示』３０２が含まれる。『タイトル表示』３０２内またはその近傍の所定の位置には、『時刻表示』３０３と、現在表示されている『おまかせ番組録画の対象番組（タイトル）のページ数を示す表示』３１０が含まれる。
【００４４】
『表示』３０１において、『タイトル表示』３０２の近傍または所定の位置には、「おまかせ番組録画」表示における「項目名」をユーザに報知するための『項目名表示』３１１、複数の「おまかせ番組録画対象番組（タイトル）」の存在、および任意の「おまかせ番組録画対象番組（タイトル）」が選択可能を示す複数の『バー（項目）表示』群３１２が表示される。
【００４５】
『表示』３０１において、『タイトル表示』３０２と画面上で概ね対をなす位置（『バー（項目）表示』群３１２に関連付けられた所定の位置）には、ユーザによる選択指示、例えばリモコン端末Ｒの操作により、『バー（項目）表示』群３１２の任意の『バー（項目）表示』の選択、選択された『バー（項目）表示』を確定する制御コマンドの入力等に用いられる『選択／決定表示』３０４が表示される。
【００４６】
『表示』３０４には、『バー（項目）表示』群３１２の任意の『バー（項目）表示』を選択するための『項目（バー）選択表示』３０５、１つ前の操作（動作）に対応する表示（画面）を表示させるための『戻る表示』３０７、任意の『バー（項目）表示』において案内されている番組（タイトル）を録画予約するための「予約」コマンドを入力するために利用される『予約表示』３０８、任意の『バー（項目）表示』において案内されている番組（タイトル）の詳細な説明を表示させるための『番組説明表示』３０９、等の表示が含まれる。なお、それぞれの『表示』３０５，３０７〜３０９は、例えばリモコン端末Ｒからの制御コマンドの入力を促すガイド表示であり、詳述しないがリモコン端末Ｒに設けられている入力キーに割り当てられている「名称（ボタン名）」を表示している。
【００４７】
『表示』３０１において、『項目名表示』３１１および『バー（項目）表示』群３１２の近傍には、例えば『項目選択表示』３０５により、現在（仮に）選択された状態にある『バー（項目）表示』３１２に対応する番組名（タイトル）が表示される『番組名（タイトル）表示』３１３とその番組に関するデータが表示される『番組データ表示』３１４が表示される。なお、『番組データ表示』３１４には、例えば［放送（配信）源］、［ジャンル］、［音声モード］、［画面サイズ情報］等が含まれる。
【００４８】
図４は、図３に示した『おまかせ一覧画面』と対応される『おまかせ／キーワード設定画面』の表示例の一例を示す。なお、以下に説明する個々の『表示』は、図２および図３において既に説明したが、映像記録装置において、映像出力部に接続されたテレビ受像機の画面に表示される表示例であり、その『表示』となる表示パターンは、ＯＳＤを経由して音声映像処理部でビデオ信号に重ね合わせられることはいうまでもない。また、ＯＳＤにおいて生成されるパターンは、例えば録画制御部の番組表生成部や、ＭＰＵのファームウエアまたは主制御部に用意される図示しないＲＯＭ等に、予め格納されている。なお、図２を用いて既に説明した『表示』と実質的に同等の機能が与えられた『表示』については、４００台の符号を付して詳細な説明を省略する。
【００４９】
図４において、『表示』４０１には、「おまかせ／キーワード設定」が表示されていることを示す『タイトル表示』４０２と『時刻表示』４０３が含まれる。
【００５０】
『表示』４０１において、『タイトル表示』４０２の近傍または所定の位置には、例えば「おまかせ」のパターン（グループ分け、ユーザにより入力される）を特定可能な『キーワード表示』と『おまかせ１〜３表示』、『おまかせ４〜６表示』および『おまかせ７〜９表示』を含む『選択列』４１１が表示される。
【００５１】
『表示』４０１において、『選択列』４１１の近傍または所定の位置には、『選択列』４１１に含まれる『おまかせ１〜３表示』、『おまかせ４〜６表示』および『おまかせ７〜９表示』のそれぞれに関し、そのグループ（１〜３または４〜６または７〜９）毎に、『「おまかせの内容を示す」表示』４１２−１〜４１２−３が表示される。
【００５２】
それぞれの『「おまかせの内容を示す」表示』４１２−１〜４１２−３には、図２を用いて先に説明した『キーワード［１］表示』〜『キーワード［３］表示』２１１〜２１３により特定（設定）された「キーワード」と、例えば    
ア）予約リストに登録されている（自動予約登録）番組の件数［予約数］    
イ）検索条件に合致した番組の件数［検索数］    
ウ）自動録画の可否（有無）および録画する場合の「最大録画時間」    
等が表示される。なお、『表示』４１２−１〜４１２−３に表示される表示内容は、『選択列』４１１の任意の『おまかせ○〜△表示』が選択される毎に、対応する「おまかせ」に従って変更される。また、［検索数］は、図３に示した『おまかせ一覧画面』において表示される件数（複数頁分）に相当することはいうまでもない。
【００５３】
なお、それぞれの『表示』４１２−１〜４１２−３おいて、［予約数］ならびに［検索数］は、例えば番組表を更新するタイミング（サーバ１０１からのＥＰＧのダウンロード等）に基づいて、自動的に計算される。もちろん、［予約数］ならびに［検索数］は、図２に示した『表示』２０１において、例えば『検索開始表示』２２１により、ユーザによる手動の任意のタイミングで検索が、指示されることにより、更新されてもよいことはいうまでもない。
【００５４】
このように、「自動録画の対象」となった番組の件数を確認することにより、検索条件の評価（追加の絞込みの要／否、キーワードの適正さの判断）が可能となる。すなわち、対象となる番組が、どの程度検索（発見）されるかによって、ユーザは、検索条件を調整することができる。これにより、「おまかせ」により自動録画される番組がユーザの好みから大きく外れて不本意な番組が録画されることや、ユーザが好む番組をとり逃す（録画し損なう）ことが防止される。
【００５５】
また、表示された自動予約登録件数を確認することにより、未視聴のタイトル（番組）が存在することを把握（理解）することができる。また、同様に表示される「実際に録画された番組」の件数を確認することにより、未視聴のタイトルが存在することを掌握（理解）することができる。
【００５６】
なお、『表示』４０１において、『タイトル表示』４０２と画面上で概ね対をなす位置（例えば『表示』４１２−１〜４１２−３の近傍、あるいは上述したさまざまな『表示』に対して視覚的な制約を与えることのない位置）には、ユーザによる選択指示、例えばリモコン端末Ｒの操作により、『表示』４１２−１〜４１２−３の選択に用いられる『項目選択表示』４０５、選択された『表示』の決定に用いられる『決定表示』４０６等が表示される。
【００５７】
図５は、図２ないし図４に示した「おまかせ番組録画対象番組（タイトル）」から自動的に番組を録画可能とする「おまかせ自動録画」において、映像記録装置に録画予約を設定する工程の一例を説明するフローチャートである。なお、図１に示した映像記録装置においては、録画制御部の録画予約制御部（または所定の記録領域）に「自動録画リスト」が生成され、そのリストに従って、放送（映像）が自動的に録画される。
【００５８】
図５に示す通り、ステップＳ５０１において、番組表が更新されると、［自動録画対象番組の件数］と［自動予約登録番組の件数］が、それぞれ「０」に置き換えられる（Ｓ５０２）。
【００５９】
次に、所定の順で保持されている番組の１つ（任意番め）の番組が、ユーザが指定した「検索条件」と合致するか否かが判断される（Ｓ５０３）。ステップＳ５０３において、「検索条件」と合致する番組であることが判断された場合（Ｓ５０３−Ｙ）、［自動録画対象番組の件数］に「１」が加算される（Ｓ５０４）。
【００６０】
以下、保持されている総ての番組について、ユーザが指定した「検索条件」と合致するか否かの判断が繰り返される（Ｓ５０５〜Ｓ５０３〜Ｓ５０４）。
【００６１】
続いて、［自動録画対象番組］と判断された番組が、ユーザが指定した「録画条件」を満たすか否かが判断される（Ｓ５０６）。
【００６２】
ステップＳ５０６において、「録画条件」と合致する番組であることが判断された場合（Ｓ５０６−Ｙ）、その番組が［自動予約登録］され（Ｓ５０７）、［自動予約登録番組の件数］に「１」が加算される（Ｓ５０８）。
【００６３】
以下、保持されている［自動録画対象番組］の総ての番組について、ユーザが指定した「録画条件」と合致するか否かの判断が繰り返される（Ｓ５０９〜Ｓ５０６〜Ｓ５０７〜Ｓ５０８）。
【００６４】
このようにして、サーバ１０１の番組情報登録部１１１および番組情報格納部１１２に保持されているＥＰＧと、予めユーザにより設定（登録）された「おまかせ番組」の好みに応じて、ユーザの好みに応じた（ユーザが好むと判定された）任意の番組（タイトル）の自動録画が予約される。
【００６５】
図６は、図５に示した「おまかせ自動録画」において、自動予約登録された番組が実際にいくつ録画されたかを算出する工程の一例を説明するフローチャートである。
【００６６】
図６に示す通り、予約録画が開始されると、その録画が「自動予約登録」された番組であるか否かがチェックされる（Ｓ６０１）。なお、「自動予約登録」された番組であるか否かは、「自動予約登録」された番組について、例えば図３に示す任意の『バー（項目）表示』３１２において、例えば「時計のマーク」が付与されているとすると、その「時計のマーク」の有無を特定することで、容易にチェックできる。
【００６７】
ステップＳ６０１において、開始された予約録画が「自動予約登録」された番組であると判定された場合（Ｓ６０１−Ｙｅｓ）、［自動予約録画の実録画数］に「１」が加算される（Ｓ６０２）。
【００６８】
以下、予約から開始された番組が録画される（Ｓ６０３）。
【００６９】
なお、図６においては、予約から開始された番組が「自動予約登録」された番組か否かを判断する工程のみを説明したが、例えば図５に示した工程に引き続いて実行されてもよいし、録画が予約された時点で実行されてもよい。また、録画終了時に実行されてもよいことはいうまでもない。
【００７０】
以上説明したように、本件出願においては、「おまかせ自動録画」により自動予約登録された番組について、検索時に検索条件に合致した番組が見つかったか、予約登録された番組がいくつあるか等を、検索条件とともに表示することができる。これにより、自動録画される番組がユーザの好みから大きく外れて不本意な番組が録画されることや、ユーザが好む番組をとり逃す（録画し損なう）ことが防止される。
【００７１】
また、自動予約登録された番組が実際にいくつ録画されたかを、表示可能としたことにより、未視聴のタイトル（番組）が存在することや、検索条件に見直しを促す（検索条件を変更可能とするタイミングを提供する）ことができ、ユーザに「自動録画するための煩雑な作業を要求する」ことなく、自分の好みとして想定される（ユーザが好むと判定された）任意の番組（タイトル）を自動的に録画可能である。また、自動録画により、不本意に記録部の記録残り容量が消費されることが抑止でき、ユーザによる録画済み番組のチェックが煩雑となることが防止できる。
【００７２】
なお、この発明は、前記各実施の形態に限定されるものではなく、その実施の段階ではその要旨を逸脱しない範囲で種々な変形もしくは変更が可能である。また、各実施の形態は、可能な限り適宜組み合わせて、もしくは一部を削除して実施されてもよく、その場合は、組み合わせもしくは削除に起因したさまざまな効果が得られる。
【図面の簡単な説明】
【００７３】
【図１】この発明の実施の形態が適用可能な映像記録装置の構成の一例を示す概略図。
【図２】図１に示した映像記録装置と接続された表示装置に表示される「おまかせ自動録画」の『メニュー画面』の表示例を示す概略図。
【図３】図２に示した『メニュー画面』から『おまかせ一覧画面』が選択された場合の表示例を示す概略図。
【図４】図３に示した『おまかせ一覧画面』と対応される『おまかせ／キーワード設定』画面の表示例の一例を示す概略図。
【図５】図２ないし図４に示した「おまかせ番組録画対象番組（タイトル）」から自動的に番組を録画可能とする「おまかせ自動録画」において、映像記録装置に録画予約を設定する工程の一例を説明するフローチャート。
【図６】図５に示した「おまかせ自動録画」において予約登録された自動予約録画の実際の録画数を計数する工程の一例を説明するフローチャート。
【符号の説明】
【００７４】
１…映像記録装置、１０…記録／再生部、２０…データ処理部、２４…音声映像処理部、３０…映像入力部、４０…映像出力部、４４…映像／音声出力端、５０…主制御部、５２…ＭＰＵ、５４…ＯＳＤ、６０…録画制御部、６１…録画情報制御部、６２…番組表生成部、６３…録画予約制御部、７０…表示制御部、７３…操作部、Ｒ…リモコン端末。
【図１】
2006324782.tif 000003
【図２】
2006324782.tif 000004
【図３】
2006324782.tif 000005
【図４】
2006324782.tif 000006
【図５】
2006324782.tif 000007
【図６】
2006324782.tif 000008